(57)【特許請求の範囲】
【請求項１】
一の移動機が在圏する無線基地局から自機に割り当てられた無線リソースにより通信を行なう無線区間を含む呼が設定されて、他の移動機または所定のサーバとの間で通信が行なわれ得るように構成された移動通信システムにおいて、当該呼の経路中に介在する所定のノードに無線回線制御装置を設け、前記無線回線制御装置により当該呼が前記一の移動機に対するユーザの操作を契機として形成された能動的接続要求に基づく呼である能動呼に該当するか該能動呼に該当しない非能動呼かを判定する能動性解析処理を実行し、該能動性解析処理によって能動呼と判定された呼には、前記無線区間における無線リソースの割り当てを相対的に多くするように構成したことを特徴とする移動通信システム。
【請求項２】
外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理を実行する受信信号解析手段と、前記受信信号解析手段による能動性解析処理の結果に基づいて前記能動呼に該当すると判定された呼に相対的に多くのリソースを割り当てる形態で呼に対応するリソースを割り当てるためのリソース割り当て情報を生成するリソース割り当て情報生成手段と、前記リソース割り当て情報生成手段により生成されたリソース割り当て情報を該リソース割り当て情報によるリソースの割り当てを履行するための該当する通知先に通知する通知手段と、を備えていることを特徴とする無線回線制御装置。
【請求項３】
前記リソース割り当て情報生成手段が当該呼に割り当てるリソースを決定するために参照する管理情報を保持する管理情報保持手段を更に備えていることを特徴とする請求項２に記載の無線回線制御装置。
【請求項４】
前記管理情報保持手段は、前記リソース割り当て情報生成手段が当該呼に割り当てるリソースを決定するために依拠する前記管理情報としてリソースマッピングテーブルを保持していることを特徴とする請求項３に記載の無線回線制御装置。
【請求項５】
当該呼に関する交換機からのページングの転送の履歴を表すページング転送履歴情報を前記受信信号解析手段が能動性解析処理を実行するに際して参照可能に保持するページング転送履歴情報保持手段を更に備えていることを特徴とする請求項２に記載の無線回線制御装置。
【請求項６】
請求項１の移動通信システムに適合する移動機であって、ユーザからの操作を受け付ける操作部と、前記無線回線制御装置に対し接続要求を発するに際して、当該接続要求が前記操作部に対する操作を契機として形成された能動的接続要求であるか否かを識別する能動的接続要求識別部と、前記能動的接続要求識別部によって当該接続要求が前記能動的接続要求に該当することが識別されたときには前記能動的接続要求であることを表す識別情報を生成する識別情報生成部と、前記識別情報を伴なった接続要求情報を生成する接続要求生成部と、該接続要求情報を含む情報の送受信を行なう送受信部と、を備えていることを特徴とする移動機。
【請求項７】
請求項１の移動通信システムに適合する交換機であって、当該呼に関する自機からのページング発信の履歴を表すページング発信履歴情報を保持するページング発信履歴情報保持手段と、外部ノードからの受信信号を解析し該受信信号から認識される呼の設定要求に関し該呼と前記ページング発信履歴情報保持手段に保持されているページング発信履歴情報との照合に基づいて該呼がユーザの移動機に対する操作を契機として形成された能動的接続要求に基づく呼である能動呼に該当するか該能動呼に該当しない非能動呼かを判定する能動性解析処理を実行する能動性解析手段と、前記能動性解析手段による能動性解析処理の判定結果を該当する無線基地局制御装置または無線基地局に送信する能動性判定結果送信手段と、を備えていることを特徴とする交換機。
【請求項８】
受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理のステップと、前記能動性解析処理のステップにより前記能動呼に該当すると判定された呼に相対的に多くのリソースを割り当てる形態で呼に対応するリソース割り当て情報を生成するリソース割り当て情報生成のステップと、前記リソース割り当て情報生成のステップで生成されたリソース割り当て情報を該リソース割り当て情報によるリソースの割り当てを履行するための該当する通知先に通知する通知のステップと、を含んでいることを特徴とする無線回線制御方法。
【発明の詳細な説明】
【技術分野】
【０００１】
本発明は、移動通信システム、該移動通信システムに適用される無線回線制御装置、移動機、交換機、および、無線回線制御方法に関する。
【背景技術】
【０００２】
移動通信システムにおいては、有限な無線リソースを如何に効率的に使用するかといった一般的要請がある。
パケット通信においては、発信の際と受信の際ではユーザに体感されるサービス性に若干の差異があると考えられる。即ち、メール発信のようにユーザが能動的にアクションを起こしたことによるパケット通信であるか、メール着信のようにユーザにとっては受動的なパケット通信であるかによって、前者の場合には通信速度の低下がユーザに顕著に意識され後者の場合には余り意識されない。
【０００３】
尚、移動通信システムでパケット通信を行なうに際し、即時性に関する要求度の高いデータほど優先的に無線リソースの割り当てを行なう技術は提案されている（特許文献１参照）。
特許文献１の技術は、端末装置に対して、該端末装置が優先的に使用できる優先無線リソースを無線チャネル上に割り当て、前記端末装置が送信する送信パケットを蓄積する送信バッファに蓄積されている蓄積パケット量に基づいて、前記優先無線リソースの中から前記端末装置に使用させる使用無線リソースを割り当てることを特徴とする無線リソース制御装置というものである。
【０００４】
送信パケットに要求される許容遅延時間を満足でき、かつ、無駄な無線リソースの割り当てを防いで、無線リソースの効率的な使用を可能とする基地局、無線リソース制御装置、端末装置、通信システム及び通信方法を提供するものである旨開示されている。
また、移動通信システムにおいて、リアルタイムトラヒックか非リアルタイムトラヒックかに応じて、リソースを割り当てる方式を変更することで、リソースの有効利用を図り、ＱｏＳを確保し、サービス品質の向上を図る提案がある（特許文献２参照）。
【０００５】
更に、パケット送信における無線端末の要求品質を満足させつつ、無線リソースの効率的な利用を図った無線リソース割り当て方法を提供する提案がある（特許文献３参照）。
特許文献３の提案では、基地局におけるパケットの滞留時間の閾値を設定し、注目したグループ内の無線端末へ送信される予定のパケットの滞留時間が閾値以上である場合に、そのパケットに対して無線リソースを優先的に割り当てる。  
【０００６】
他方、例えば移動機の操作部への操作があったことを表す情報や通信する基地局が変更されたことを示す情報等移動機に関連するユーザのアクションの如何に基づく情報を得て、該情報に応じたアクションをとるといった技術の提案もある（特許文献４参照）。
特許文献４に開示の技術は、移動機に関連した使用者の行動情報を移動機に関連付けて記憶し、この記憶に基づいて災害時などにおける使用者の安否推定等に供するという趣旨のものである。
【０００７】
更にまた、状況に応じて利用者による優先度の選択を可能とし、選択された優先度により移動機への無線チャネルの割り当てを行う無線チャネル割当方法の提案もなされている（特許文献５参照）。
また、多様な呼設定が行なわれる条件下で無線基地局装置内のリソースを有効かつフレキシブルに維持管理することを狙いとする提案がある（特許文献６参照）。
特許文献６の提案では、新たな呼設定の要求によるリソースの消費に対し、既存のリンクを極力維持するようにして設定の変更を抑制しつつ無線基地局装置内のリソースをフレキシブルに変更する。
【０００８】
【特許文献１】特開２００３−１６３６６７号公報（要約、請求項１０等）
【特許文献２】特開２００３−１６９３６３号公報（要約、段落００１７等）
【特許文献３】特開２００３−２５８８０６号公報（要約、請求項１等）
【特許文献４】特開２００３−２６４８６０号公報（請求項１、２、３等）
【特許文献５】特開２００４−２２８９０５号公報（要約、段落００３５等）
【特許文献６】特開２００６−８０８８４号公報（要約、段落０００８等）
【発明の開示】
【発明が解決しようとする課題】
【０００９】
上述のとおり、特許文献１には、送信パケットに要求される許容遅延時間を満足でき、かつ、無駄な無線リソースの割り当てを防いで、無線リソースの効率的な使用を可能とする基地局、無線リソース制御装置、端末装置、通信システム及び通信方法を提供する技術が開示されている。
しかしながら、ユーザが能動的にアクションを起こしたことに対応した通信であるか否かに応じて、有限の無線リソースを、ユーザに体感されるパケット通信速度に係るストレスを軽減しつつ（増大させることなく）配分しようとする技術課題の認識が無い。この点については、上掲のその他の特許文献も同様である。
【００１０】
因みに、特許文献４には、移動機のユーザのアクションの如何を識別して、これに応動するといった思想が開示されている。
しかしながら、特許文献４の技術は、地震などの災害発生地域の住人の安否の確認が網輻奏で通話が確立せずに困難な状態においても、プライバシーを保護しつつ迅速に安否の確認を行なうことを可能にする趣旨である。
このためユーザに体感されるパケット通信速度に係るストレスを軽減しようといった着眼を持つものではなく、従って、このような着眼に対応しようとする技術の提案は無い。
【００１１】
本発明は、上述のような状況に鑑みてなされたものであり、体感されるパケット通信速度に起因するユーザのストレスを軽減しつつ（増大させることなく）、一定の無線リソースをより多くのユーザに割り当てることを可能にする移動通信システム、該移動通信システムに適用される無線回線制御装置、移動機、交換機、および、無線回線制御方法を提供することを目的とする。
【課題を解決するための手段】
【００１２】
上記課題を解決するべく、本願では次に列記するような技術を提案する。
本発明の請求項１の移動通信システムは：
一の移動機が在圏する無線基地局から自機に割り当てられた無線リソースにより通信を行なう無線区間を含む呼が設定されて、他の移動機または所定のサーバとの間で通信が行なわれ得るように構成された移動通信システムにおいて、当該呼の経路中に介在する所定のノードに無線回線制御装置を設け、前記無線回線制御装置により当該呼が前記一の移動機に対するユーザの操作を契機として形成された能動的接続要求に基づく呼である能動呼に該当するか該能動呼に該当しない非能動呼かを判定する能動性解析処理を実行し、該能動性解析処理によって能動呼と判定された呼には、前記無線区間における無線リソースの割り当てを相対的に多くするように構成したことを特徴とする。
【００１３】
上記請求項１の移動通信システムでは、一の移動機が在圏する無線基地局から自機に割り当てられた無線リソースにより通信を行なう無線区間を含む呼が設定されて、他の移動機または所定のサーバとの間で通信が行なわれ得るように構成された移動通信システムにおいて、当該呼の経路中に介在する、例えば無線基地局や無線制御局などの所定のノードに無線回線制御装置を設ける。
【００１４】
この無線回線制御装置により当該呼が前記一の移動機に対するユーザの操作を契機として形成された能動的接続要求に基づく呼である能動呼に該当するか該能動呼に該当しない非能動呼かを判定する能動性解析処理を実行し、該能動性解析処理によって能動呼と判定された呼には、前記無線区間における無線リソースの割り当てを相対的に多くするようにリソースの割り当てを行なう。
無線リソースの割り当てをこのように行なうことにより、体感されるパケット通信速度に起因するユーザのストレスを軽減しつつ（増大させることなく）、一定の無線リソースをより多くのユーザに割り当てることが可能になる。
【００１５】
本発明の請求項２の無線回線制御装置は：
外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理を実行する受信信号解析手段と、前記受信信号解析手段による能動性解析処理の結果に基づいて前記能動呼に該当すると判定された呼に相対的に多くのリソースを割り当てる形態で呼に対応するリソースを割り当てるためのリソース割り当て情報を生成するリソース割り当て情報生成手段と、前記リソース割り当て情報生成手段により生成されたリソース割り当て情報を該リソース割り当て情報によるリソースの割り当てを履行するための該当する通知先に通知する通知手段と、を備えていることを特徴とする。
【００１６】
上記請求項２の無線回線制御装置では、受信信号解析手段により、例えば移動機である外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理を実行する。
リソース割り当て情報生成手段は、この受信信号解析手段による能動性解析結果に基づいて前記能動呼に該当すると判定された呼に相対的に多くのリソースを割り当てる形態で呼に対応するリソースを割り当てるためのリソース割り当て情報を生成する。
【００１７】
更に、通知手段が、リソース割り当て情報生成手段により生成されたリソース割り当て情報を該リソース割り当て情報によるリソースの割り当てを履行するための、例えば本無線回線制御装置が設置された無線基地局の該当機能部等の該当する通知先に通知する。
上述のように通知されたリソース割り当て情報により、無線リソースの割り当てが適切に行なわれることにより、体感されるパケット通信速度に起因するユーザのストレスを軽減しつつ（増大させることなく）、一定の無線リソースをより多くのユーザに割り当てることが可能になる。
【００１８】
本発明の請求項３の無線回線制御装置は：
請求項２の無線回線制御装置において、前記リソース割り当て情報生成手段が当該呼に割り当てるリソースを決定するために参照する管理情報を保持する管理情報保持手段を更に備えていることを特徴とする。
上記請求項３の無線回線制御装置では、管理情報保持手段に当該呼に割り当てるリソースを決定するために参照する管理情報が保持されているため、リソース割り当て情報生成手段は所定のタイミングでこの管理情報を参照して適切なリソース割り当てを行なうためのリソース割り当て情報を生成することができる。
【００１９】
本発明の請求項４の無線回線制御装置は：
請求項３の無線回線制御装置において、管理情報保持手段は、前記リソース割り当て情報生成手段が当該呼に割り当てるリソースを決定するために依拠する前記管理情報としてリソースマッピングテーブルを保持していることを特徴とする。
上記請求項４の無線回線制御装置では、請求項３の無線回線制御装置において、管理情報保持手段が前記リソース割り当て情報生成手段が当該呼に割り当てるリソースを決定するために依拠する前記管理情報としてリソースマッピングテーブルを保持しているため、リソース割り当て情報生成手段は所定のタイミングでこのリソースマッピングテーブルを参照して適切なリソース割り当てを行なうためのリソース割り当て情報を生成することができる。
【００２０】
本発明の請求項５の無線回線制御装置は：
請求項２の無線回線制御装置において、当該呼に関する交換機からのページングの転送の履歴を表すページング転送履歴情報を前記受信信号解析手段が能動性解析処理を実行するに際して参照可能に保持するページング転送履歴情報保持手段を更に備えていることを特徴とする。
上記請求項５の無線回線制御装置では、ページング転送履歴情報保持手段に、当該呼に関する交換機からのページングの転送の履歴を表すページング転送履歴情報が保持されているため、前記受信信号解析手段は所定のタイミングでこのページング転送履歴情報を参照することにより、能動性解析処理を実行して、受信信号から認識される呼の設定要求が能動呼に該当するか該能動呼に該当しない非能動呼かを的確に判定することができる。
【００２１】
本発明の請求項６の移動機は：
請求項１の移動通信システムに適合する移動機であって、ユーザからの操作を受け付ける操作部と、前記無線回線制御装置に対し接続要求を発するに際して、当該接続要求が前記操作部に対する操作を契機として形成された能動的接続要求であるか否かを識別する能動的接続要求識別部と、前記能動的接続要求識別部によって当該接続要求が前記能動的接続要求に該当することが識別されたときには前記能動的接続要求であることを表す識別情報を生成する識別情報生成部と、前記識別情報を伴なった接続要求情報を生成する接続要求生成部と、該接続要求情報を含む情報の送受信を行なう送受信部と、を備えていることを特徴とする。
【００２２】
上記請求項６の移動機では、無線回線制御装置に対して発する接続要求がユーザからの操作を受け付ける操作部に対する操作を契機として形成された能動的接続要求であることが能動的接続要求識別部で識別されたときには、識別情報生成部が該能動的接続要求であることを表す識別情報を生成する。
接続要求生成部が該識別情報を伴なった接続要求情報を生成し、該接続要求情報が送受信部から無線回線制御装置に送信されるため、当該接続要求はこのような能動的接続要求であることが無線回線制御装置において明確に判定される。
【００２３】
本発明の請求項７の交換機は：
請求項１の移動通信システムに適合する交換機であって、当該呼に関する自機からのページング発信の履歴を表すページング発信履歴情報を保持するページング発信履歴情報保持手段と、外部ノードからの受信信号を解析し該受信信号から認識される呼の設定要求に関し該呼と前記ページング発信履歴情報保持手段に保持されているページング発信履歴情報との照合に基づいて該呼がユーザの移動機に対する操作を契機として形成された能動的接続要求に基づく呼である能動呼に該当するか該能動呼に該当しない非能動呼かを判定する能動性解析処理を実行する能動性解析手段と、前記能動性解析手段による能動性解析処理の判定結果を該当する無線基地局制御装置または無線基地局に送信する能動性判定結果送信手段と、を備えていることを特徴とする。
【００２４】
上記請求項７の交換機では、ページング発信履歴情報保持手段に、当該呼に関する自機からのページング発信の履歴を表すページング発信履歴情報が保持される。
能動性解析手段は、例えば無線基地局等の外部ノードからの受信信号を解析し該受信信号から認識される呼の設定要求に関し該呼と上述のページング発信履歴情報保持手段に保持されているページング発信履歴情報との照合に基づいて該呼がユーザの移動機に対する操作を契機として形成された能動的接続要求に基づく呼である能動呼に該当するか該能動呼に該当しない非能動呼かを判定する。
【００２５】
この判定結果は、能動性判定結果送信手段によって無線基地局制御装置または無線基地局に送信され、この判定結果を受けた無線基地局（そこに設置された上述の無線回線制御装置）では無線リソースの割り当てを適切に行なうことが可能になり、体感されるパケット通信速度に起因するユーザのストレスを軽減しつつ（増大させることなく）、一定の無線リソースをより多くのユーザに割り当てることが可能になる。
【００２６】
本発明の請求項８の無線回線制御方法は：
受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理のステップと、前記能動性解析処理のステップにより前記能動呼に該当すると判定された呼に相対的に多くのリソースを割り当てる形態で呼に対応するリソース割り当て情報を生成するリソース割り当て情報生成のステップと、前記リソース割り当て情報生成のステップで生成されたリソース割り当て情報を該リソース割り当て情報によるリソースの割り当てを履行するための該当する通知先に通知する通知のステップと、を含んでいることを特徴とする。
【００２７】
上記請求項８の無線回線制御方法では、能動性解析処理のステップにより、例えば移動機である外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する。
リソース割り当て情報生成のステップでは、能動性解析処理のステップによる能動性解析結果に基づいて前記能動呼に該当すると判定された呼に相対的に多くのリソースを割り当てる形態で呼に対応するリソースを割り当てるためのリソース割り当て情報を生成する。
【００２８】
更に、通知のステップで、リソース割り当て情報生成のステップにより生成されたリソース割り当て情報を該リソース割り当て情報によるリソースの割り当てを履行するための、例えば無線回線制御装置が設置された無線基地局の該当機能部等の該当する通知先に通知する。
上述のように通知されたリソース割り当て情報により、無線リソースの割り当てが適切に行なわれることにより、体感されるパケット通信速度に起因するユーザのストレスを軽減しつつ（増大させることなく）、一定の無線リソースをより多くのユーザに割り当てることが可能になる。
【発明の効果】
【００２９】
本発明によれば、体感されるパケット通信速度に起因するユーザのストレスを軽減しつつ（増大させることなく）、一定の無線リソースをより多くのユーザに割り当てることを可能にする移動通信システム、無線回線制御装置、移動機、交換機、および、無線回線制御方法が実現される。
【発明を実施するための最良の形態】
【００３０】
以下、図面を参照して本発明の実施の形態について詳述することにより本発明を明らかにする。
（発明思想の概要）
図１は、本発明の思想を表す概念図である。図１には、移動機１０１，１０２相互間のパケット通信や、移動機１０１から後述するようにインターネット上のサイトから所望のコンテンツをダウンロードして取得することが可能な、移動通信網（広義）が表されている。
【００３１】
移動パケット通信網として構成され得る移動通信システム１１１および１１２は、移動通信システムにおける周知の上位交換機等を含む基幹網１５０を通して結ばれ、移動機１０１，１０２相互間のパケット通信（電子メール）が実現される。
また一方、移動通信システム１１１および１１２は、それぞれ対応するゲートウェイ１２１および１２２を介してインターネット１３０に接続されている。
インターネット１３０にはＩＰ（Information Provider）サーバ１３１および１３２が接続されて、情報提供事業者によるウェブサイトが運営される。
また、移動通信システム（基幹網）１５０には、コンテンツサーバ１５１，１５２，１５３、および、１５４が接続されて、情報提供事業者によるコンテンツ提供事業が運営される。
【００３２】
以上の構成において、移動機１０１のユーザが相手方の移動機１０２との間でパケット通信を行なう場合を仮定する。
移動機１０１側が送信側、移動機１０２側が受信側である場合には、移動機１０１側のユーザは、自ら移動機１０１を操作してパケットの送出を能動的に行なうため、該当する操作を行ってからパケットの送出が速やかに行なわれないときには相対的に強いストレスを感じ易い。
反対に、ユーザが受信側の立場である場合には、着信を待つ所謂待ち受け状態にあり、自らが用いている移動機に何時着呼があるかは認識されることがないのが普通である。
このため、受信側の立場で着信の遅延といった時間の経過が意識に上ることは原理的に生じ難く、従って、通常の待ち受け状態では受信（着信）の遅延に起因するストレスというものは感じられない。
【００３３】
上述同様の現象は、上述のコンテンツサーバ１５１（１５２，１５３、および、１５４）或いは、ＩＰサーバ１３１（１３２）からコンテンツを取得する場合にも該当する。
即ち、ユーザが自ら移動機を操作して、例えば、コンテンツサーバ１５１にアクセス（実線の矢線ＡＣ→ＡＣ１にて模式的に図示）、或いは、ＩＰサーバ１４２にアクセス（実線の矢線ＡＣ→ＡＣ２にて模式的に図示）して所望の情報（コンテンツ等）をダウンロードする所謂プル型情報配信では、情報の取得のための所要の操作を行ってから、これに対応するコンテンツ等のダウンロード（実線の矢線ＤＬ１→ＤＬ；ＤＬ２→ＤＬにて模式的に図示）が完了するまでの時間が長引くときには相対的に強いストレスを感じ易い。
【００３４】
これに対し、ユーザによるアクセスを待たずに、例えば、コンテンツサーバ１５３側或いはＩＰサーバ１４１側が主体的にユーザに情報を提供する、いわゆるプッシュ型情報配信では、情報の受信（破線の矢線ＳＵ１→ＳＵ；ＳＵ２→ＳＵにて模式的に図示）にかかる時間に起因するストレスというものは感じられないのが普通である。何故なら、いつの間にか着信しているといった状態であるからである。
そこで本発明では、無線区間における通信のリソースの割り当てを、ユーザの操作を契機として形成された能動的接続要求に基づく呼である能動呼に該当する場合には相対的に厚く（通信速度を速く）し、非能動呼に該当する場合には相対的に薄く（通信速度を遅く）して、体感されるパケット通信速度に起因するユーザのストレスを軽減しつつ（増大させることなく）、一定の無線リソースをより多くのユーザに割り当てることを可能にしている。
【００３５】
上述のようなこと可能にするため、本発明では、図１における移動通信システム１１１（１１２）、移動機、および、図１では表記されない交換機に関し、以下に図面を参照して詳述するような種々の新規な技術を導入している。
（本発明を適用する一つの方式による移動通信システムの構成）
図２は、本発明を適用する一つの方式による移動通信システムの構成を表す図である。
図２の移動通信システムは、第３世代携帯電話方式（３Ｇ：Third Generation）による移動通信システムに準拠したものである。
【００３６】
複数のセクタＳ２１０、Ｓ２２０、Ｓ２３０を含むセルＣ２１をサービスエリアとする無線基地局２１１によってセルＣ２１の域内の移動機の通信が賄われ、同様に、複数のセクタＳ２１１、Ｓ２２１、Ｓ２３１を含むセルＣ２２をサービスエリアとする無線基地局２１２によってセルＣ２２の域内の移動機の通信が賄われる。
これら複数（図２では２基）の無線基地局２１１、２１２を統括する無線基地局制御装置２２０が設けられ、更に上位の交換機２３０を通して基幹網へ接続される。
図示の例では、セルＣ２１（そのセクタＳ２２０）に移動機１０１が在圏し、セルＣ２２（そのセクタＳ２２１）に移動機１０２が在圏している。
【００３７】
以上の構成において、無線基地局制御装置２２０には、特に、本発明の実施形態としての無線回線制御装置２４０が設けられている点が従来のこの種の移動通信システムと異なる点である。
無線回線制御装置２４０は、後に図４を参照して詳述するように、例えば移動機である外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する。
更に、能動呼に該当すると判定された呼に相対的に多くのリソースを割り当てる形態で呼に対応するリソースを割り当てるように回線制御を実行する。
【００３８】
（本発明を適用する他の一つの方式による移動通信システムの構成）
図３は本発明を適用する他の一つの方式による移動通信システムの構成を表す図である。図３の移動通信システムは、第３世代携帯電話方式を拡張した方式であるＬＴＥ（Long-term Evolution）に準拠したものである。
複数のセクタＳ３１０、Ｓ３２０、Ｓ３３０を含むセルＣ３１をサービスエリアとする無線基地局３１１によってセルＣ３１の域内の移動機の通信が賄われ、同様に、複数のセクタＳ３１１、Ｓ３２１、Ｓ３３１を含むセルＣ３２をサービスエリアとする無線基地局３１２によってセルＣ３２の域内の移動機の通信が賄われる。
【００３９】
これら複数（図３では２基）の無線基地局３１１、３１２は上位の交換機３３０を通して基幹網へ接続される。
図示の例では、セルＣ３１（そのセクタＳ３２０）に移動機１０１が在圏し、セルＣ３２（そのセクタＳ３２１）に移動機１０２が在圏している。
以上の構成において、無線基地局３１１、３１２に、それぞれ本発明の実施形態としての無線回線制御装置３４１および３４２が設けられている点が通常のこの種のＬＴＥ方式の移動通信システムと異なる点である。
【００４０】
無線回線制御装置３４１および３４２の機能ブロック上での構成は図２における無線回線制御装置２４０と同様であり、後に図４を参照して詳述する。
図３の移動通信システムでは、各無線基地局３１１、３１２におけるこれらの無線回線制御装置３４１、３４２によって、例えば移動機である外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する。
更に、能動呼に該当すると判定された呼に相対的に多くのリソースを割り当てる形態で呼に対応するリソースを割り当てるように回線制御を実行する。
【００４１】
（本発明の無線回線制御装置の構成）
図４は、図２および図３の移動通信システムに適用される本発明の無線回線制御装置を表す機能ブロック図である。
図２の無線回線制御装置２４０および図３の無線回線制御装置３４１、３４２は、図４においては、代表的に参照符号４００を附してある。
本無線回線制御装置４００は、例えばユーザの移動機等の外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理を実行する受信信号解析手段４１０と、受信信号解析手段４１０による能動性解析結果に基づいて前記能動呼に該当すると判定された呼に相対的に多くのリソースを割り当てる形態で呼に対応するリソースを割り当てるためのリソース割り当て情報を生成するリソース割り当て情報生成手段４２０と、リソース割り当て情報生成手段４２０により生成されたリソース割り当て情報を該リソース割り当て情報によるリソースの割り当てを履行するための該当する通知先に通知する通知手段４４０とを含んで構成されている。
【００４２】
即ち、受信信号解析手段４１０により、例えば移動機である外部ノードからの受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理を実行する。
リソース割り当て情報生成手段４２０は、受信信号解析手段４１０による能動性解析結果に基づいて前記能動呼に該当すると判定された呼に相対的に多くのリソースを割り当てる形態で呼に対応するリソースを割り当てるためのリソース割り当て情報を生成する。
【００４３】
この実施の形態では、リソース割り当て情報生成手段４２０から参照可能な形態でリソース割り当てに関する管理情報を保持する管理情報保持手段４３０が設けられ、リソース割り当て情報生成手段４２０は、適宜、管理情報保持手段４３０における管理情報を参照しつつリソース割り当て情報を生成する。
管理情報保持手段４３０は、リソース割り当て情報生成手段４２０が当該呼に割り当てるリソースを決定するために依拠する管理情報として、図１３所載のようなデータで構成されたリソースマッピングテーブルを保持している。
【００４４】
このため、リソース割り当て情報生成手段４２０は所定のタイミングでこのリソースマッピングテーブルを参照して適切なリソース割り当てを行なうためのリソース割り当て情報を生成することができる。
また、この実施の形態では、受信信号解析手段４１０から参照可能な形態で、後述するページングの履歴に関する情報を保有する記憶手段４５０が設けられ、受信信号解析手段４１０は、適宜、記憶手段４５０に保持されたページングの履歴に関する情報を参照しつつリソース割り当て情報を生成する。
【００４５】
更に、通知手段４４０が、リソース割り当て情報生成手段４２０により生成されたリソース割り当て情報を、該リソース割り当て情報によるリソースの割り当てを履行するための、該当する通知先に通知する。
ここに、該当する通知先とは、図５ないし図８の無線回線制御動作を表すシーケンス図を参照しての説明によって各場合に応じて詳細が明らかにされるが、端的には、例えば図２の移動通信システムでは、本発明の無線回線制御装置２４０を備えた無線基地局制御装置２２０の下位にある無線基地局２１１，２１２、または、移動機１０１，１０２、乃至はまた、交換機２３０がこれに該当する。
【００４６】
或いはまた、図３の移動通信システムでは、本発明の無線回線制御装置３４１を備えた無線基地局３１１における自局内での他部（異なるセルを賄う機能部）、または、無線回線制御装置３４２を備えた無線基地局３１２、乃至はまた、移動機１０１，１０２、或いは、交換機３３０がこれに該当する。
上述のようにして通知を受けた当該ノードが上述のようなリソース割り当て情報に応動することによって、ユーザの操作を契機として形成された能動的接続要求に基づく呼である能動呼には相対的に厚く（非能動呼には相対的に薄く）リソースを分配し、体感されるパケット通信速度に起因するユーザのストレスを軽減しつつ、一定の無線リソースを多数のユーザに割り当てることが可能になる。
【００４７】
（本発明を適用した移動通信システムにおける無線回線制御動作）
図５は、本発明を適用した移動通信システムにおける無線回線制御動作を表すシーケンス図である。
図５に例示のシーケンスは、設定が要求されている呼が、移動機に対するユーザの操作を契機として形成された能動的接続要求に基づく呼である能動呼に該当しない非能動呼である場合の無線回線制御である。
図中、「ＲＮＣ／ＢＴＳ、ｅＮＢ」は本発明の無線回線制御装置を含む要素（装置）をその機能に着目して一つのブロックの如くに表記したものであり３Ｇにおける無線基地局制御装置（図２：２２０）やＬＴＥにおける無線基地局（図３：３１１，３１２）がこれに該当する。
【００４８】
「ＲＮＣ／ＢＴＳ」はＲＮＣ（Radio Network Controller：無線基地局制御装置）とＢＴＳ（Base Transceiver Station：無線基地局）とをシーケンス図を簡略化するためにまとめて併記したものである（ＲＮＣ／ＢＴＳなる装置がある意ではない）。
また、「ｅＮＢ」はEvolved Node  Bの略称で、ＬＴＥにおける無線基地局である。
図５のシーケンス図では、交換機から、図示されないＨＬＲ（Home Location Register）或いはＶＬＲ（Visitor Location Register）を参照して特定された「ＲＮＣ／ＢＴＳ、ｅＮＢ」に、そこに在圏の全移動機に対し、パケット通信（既述のプッシュ型コンテンツ配信である場合も該当する）の相手方に呼出をかけるようにページングが掛けられる（ステップＳ５０１→ステップＳ５０２→ステップＳ５０３）。
【００４９】
上述のようにステップＳ５０１から「ＲＮＣ／ＢＴＳ、ｅＮＢ」にページングが発せられるに際し、同時に、このようにページングを送出した履歴が交換機に記憶される（ステップＳ５０２）。
ステップＳ５０３で、「ＲＮＣ／ＢＴＳ、ｅＮＢ」経由でページングを受けた該当する移動機は、これに応じて設定が要求される呼がページングトリガに応じての接続であるか否かの情報（この場合、この情報は肯定的である）を付与する処理を接続要求に対して施し（ステップＳ５０４）、この情報が付与された接続要求を「ＲＮＣ／ＢＴＳ、ｅＮＢ」経由で交換機に返す（ステップＳ５０５→ステップＳ５０６）。
【００５０】
交換機ではステップＳ５０６で受けた情報と、先にステップＳ５０２で記憶したページング送出の履歴情報とを照合する（ステップＳ５０７：前段処理）。
図５の場合には、ステップＳ５０６で受けた情報とステップＳ５０２で記憶したページング送出の履歴情報とは合致するため、接続要求は移動機（そのユーザ）が自発的に発したものでなく他の移動機等の外部のノードからの呼出を契機とするページングによるものであると判断される（ステップＳ５０７：後段処理）。
【００５１】
このため、ステップＳ５０６で受けた接続要求は非能動呼であるとして、「ＲＮＣ／ＢＴＳ、ｅＮＢ」（その無線回線制御装置）に回線設定要求を発する（ステップＳ５０８）。
ステップＳ５０８での回線設定要求を受けた「ＲＮＣ／ＢＴＳ、ｅＮＢ」では、その無線回線制御装置において、能動呼の接続要求か否かを判定し（この場合は「否」であり、非能動呼と判定される）、判定結果（非能動呼）に応じたリソース割り当て情報を生成する（ステップＳ５０９）。
図示の例では、ステップＳ５０９で、非能動呼に応じた相対的に少ない（伝送速度が遅い）割り当てとするためのリソース割り当て情報が生成され、このリソース割り当て情報が回線設定要求として移動機に通知される（ステップＳ５１０）。
【００５２】
ステップＳ５１０の回線設定要求に応じて、移動機から回線接続応答が、「ＲＮＣ／ＢＴＳ、ｅＮＢ」に返され（ステップＳ５１１）、「ＲＮＣ／ＢＴＳ、ｅＮＢ」は、これを交換機に転送し（ステップＳ５１２）、上述のようなリソース割り当て情報に基づく相対的に少ない（伝送速度が遅い）割り当てのリソース割り当てが行なわれる。
このため、図５の例では、同じ無線区間（サービスエリア）で相対的に多い（伝送速度が速い）割り当てのリソースを必要とする他の通信のリソースを圧迫する虞が低減する。
【００５３】
（本発明を適用した他の移動通信システムにおける無線回線制御動作）
図６は、本発明を適用した他の移動通信システムにおける無線回線制御動作を表すシーケンス図である。
図６に例示のシーケンスは、設定が要求されている呼が、移動機に対するユーザの操作を契機として形成された能動的接続要求に基づく呼である能動呼に該当しない非能動呼である場合の無線回線制御である点では図５の無線回線制御と同様である。
但し、図６の例では、特に、「ＲＮＣ／ＢＴＳ、ｅＮＢ」においてページング転送の履歴を記憶しておき、該記憶を移動機からの接続要求と照合することによって、当該接続要求が能動呼に係るものか非能動呼に係るものかを判定するようにしている。
【００５４】
図６において、交換機から、図示されないＨＬＲ或いはＶＬＲを参照して特定された「ＲＮＣ／ＢＴＳ、ｅＮＢ」に、そこに在圏の全移動機に対し、パケット通信（既述のプッシュ型コンテンツ配信である場合も該当する）の相手方に呼出をかけるようにページングが掛けられる（ステップＳ６０１）。
但し、図６のシーケンス図では、ページング送出の履歴は交換機においては特に保持せず、このページングを転送した履歴を「ＲＮＣ／ＢＴＳ、ｅＮＢ」において記憶し（ステップＳ６０２）、ページング自体は移動機に転送する（ステップＳ６０３）。
【００５５】
ステップＳ６０３で、「ＲＮＣ／ＢＴＳ、ｅＮＢ」経由でページングを受けた該当する移動機は、これに応じて設定が要求される呼がページングトリガに応じての接続であるか否かの情報（この場合、この情報は肯定的である）を付与する処理を接続要求に対して施し（ステップＳ６０４）、この情報が付与された接続要求を「ＲＮＣ／ＢＴＳ、ｅＮＢ」に返す（ステップＳ６０５）。
「ＲＮＣ／ＢＴＳ、ｅＮＢ」ではステップＳ６０５で受けた情報と、先にステップＳ６０２で記憶したページング転送の履歴情報とを照合する（ステップＳ６０６：前段処理）。
【００５６】
図６の場合には、ステップＳ６０５で受けた情報とステップＳ６０２で記憶したページング転送の履歴情報とは合致するため、接続要求は移動機（そのユーザ）が自発的に発したものでなく他の移動機等の外部のノードからの呼出を契機とするページングによるものであると判断される（ステップＳ６０６：後段処理）。
ステップＳ６０６での判断を行なう一方、「ＲＮＣ／ＢＴＳ、ｅＮＢ」はステップＳ６０５で受けた接続要求を交換機に転送する（ステップＳ６０７）。
ステップＳ６０７の接続要求を受けた交換機は、「ＲＮＣ／ＢＴＳ、ｅＮＢ」
（その無線回線制御装置）に回線設定要求を発する（ステップＳ６０８）。
【００５７】
ステップＳ６０８での回線設定要求を受けた「ＲＮＣ／ＢＴＳ、ｅＮＢ」では、その無線回線制御装置において、能動呼の接続要求か否かを判定し（この場合は「否」であり、非能動呼と判定される）、判定結果（非能動呼）に応じたリソース割り当て情報を生成する（ステップＳ６０９）。
図示の例では、ステップＳ６０９で、非能動呼に応じた相対的に少ない（伝送速度が遅い）割り当てとするためのリソース割り当て情報が生成され、このリソース割り当て情報が回線設定要求として移動機に通知される（ステップＳ６１０）。
【００５８】
ステップＳ６１０の回線設定要求に応じて、移動機から回線接続応答が、「ＲＮＣ／ＢＴＳ、ｅＮＢ」に返され（ステップＳ６１１）、「ＲＮＣ／ＢＴＳ、ｅＮＢ」は、これを交換機に転送し（ステップＳ６１２）、上述のようなリソース割り当て情報に基づく相対的に少ない（伝送速度が遅い）割り当てのリソース割り当てが行なわれる。
このため、図６の例では、同じ無線区間（サービスエリア）で相対的に多い（伝送速度が速い）割り当てのリソースを必要とする他の通信のリソースを圧迫する虞が低減する。
【００５９】
（本発明を適用した更に他の移動通信システムにおける無線回線制御動作）
図７は、本発明を適用した更に他の移動通信システムにおける無線回線制御動作を表すシーケンス図である。
図７に例示のシーケンスは、設定が要求されている呼が、移動機に対するユーザの操作を契機として形成された能動的接続要求に基づく呼である能動呼に該当する場合の無線回線制御である。
図７の例では、移動機として、ユーザの操作に応じて自機から接続要求を発するに際して、当該接続要求が自機に対してユーザが行った操作を契機として形成された能動的接続要求であるか否かを識別し、能動的接続要求であるときには能動的接続要求であることを表す識別情報を伴なった接続要求情報（接続要求）を生成して、該接続要求情報を送信可能な機能を搭載したものを適用している。
【００６０】
このような機能を搭載した移動機の構成については、後に図９を参照して詳述する。
移動機から、ユーザの操作に応じて接続要求を発する場合には、先ず、上述のような能動的接続要求であることを表す識別情報を伴なった接続要求が生成され（ステップＳ７０１）、ステップＳ７０１で生成された識別情報を伴なった接続要求が「ＲＮＣ／ＢＴＳ、ｅＮＢ」に送信される（ステップＳ７０２）。
「ＲＮＣ／ＢＴＳ、ｅＮＢ」では、ステップＳ７０２で受けた接続要求に基づいて既述の能動呼の接続か非能動呼の接続かを判断し、この判断結果を記憶する（ステップＳ７０３）。
【００６１】
図７の場合には、ステップＳ７０１で能動的接続要求であることを表す識別情報を伴なった接続要求が生成され、この接続要求が送られてくるため（ステップＳ７０２）、能動呼の接続である旨の判断が記憶される（ステップＳ７０３）。
ステップＳ７０３で、「ＲＮＣ／ＢＴＳ、ｅＮＢ」において能動呼の接続である旨の判断が記憶され、次いで、「ＲＮＣ／ＢＴＳ、ｅＮＢ」から交換機に接続要求が送出される（ステップＳ７０４）。
ステップＳ７０４の接続要求を受けて、交換機から「ＲＮＣ／ＢＴＳ、ｅＮＢ」に回線設定要求が発される（ステップＳ７０５）。
【００６２】
「ＲＮＣ／ＢＴＳ、ｅＮＢ」ではステップＳ７０５での回線設定要求に応じて、先にステップＳ７０３で記憶した能動呼の接続である旨の判断に応じたリソース割り当て情報を生成する（ステップＳ７０６）。
図示の例では、ステップＳ７０６で、能動呼に応じた相対的に多い（伝送速度が速い）割り当てとするためのリソース割り当て情報が生成され、このリソース割り当て情報が回線設定要求として移動機に通知される（ステップＳ７０７）。
【００６３】
ステップＳ７０７の回線設定要求に応じて、移動機から回線接続応答が、「ＲＮＣ／ＢＴＳ、ｅＮＢ」に返され（ステップＳ７０８）、「ＲＮＣ／ＢＴＳ、ｅＮＢ」は、これを交換機に転送し（ステップＳ７０９）、上述のようなリソース割り当て情報に基づく相対的に多い（伝送速度が速い）割り当てのリソース割り当てが行なわれる。
このため、図７の例では、同じ無線区間（サービスエリア）で相対的に多い（伝送速度が速い）割り当てのリソースを必要とする通信に対してそれに見合った十分なリソースが割り当てられ、体感的な待ち時間が少なくストレスを感じ難い快適な通信が行なわれ得る。
【００６４】
（本発明を適用した更に他の移動通信システムにおける無線回線制御動作）
図８は、本発明を適用した更に他の移動通信システムにおける無線回線制御動作を表すシーケンス図である。
図８は、本発明を適用した他の移動通信システムにおける無線回線制御動作を表すシーケンス図である。
図８に例示のシーケンスは、設定が要求されている呼が、移動機に対するユーザの操作を契機として形成された能動的接続要求に基づく呼である能動呼に該当する場合の無線回線制御である。
【００６５】
図８の例では、移動機として、図７の例と同様、ユーザの操作に応じて自機から接続要求を発するに際して、当該接続要求が自機に対してユーザが行った操作を契機として形成された能動的接続要求であるか否かを識別し、能動的接続要求であるときには能動的接続要求であることを表す識別情報を伴なった接続要求を生成して、該接続要求を送信可能に構成された移動機を適用している。
但し、既述の図７の例では、能動呼の接続か非能動呼の接続かの判断を「ＲＮＣ／ＢＴＳ、ｅＮＢ」で行なっていたところ、この図８の例では、この判断を交換機で行なうようにしている。従って、当然ながら、交換機として能動呼の接続か非能動呼の接続かを判断する機能を備えたものを適用する。
【００６６】
このような機能を搭載した交換機の構成については、後に図１０を参照して詳述する。
移動機から、ユーザの操作に応じて接続要求を発する場合には、先ず、上述のような能動的接続要求であることを表す識別情報を伴なった接続要求が生成される（ステップＳ８０１）。
ステップＳ８０１で生成された識別情報を伴なった接続要求が「ＲＮＣ／ＢＴＳ、ｅＮＢ」に送信される（ステップＳ８０２）。
「ＲＮＣ／ＢＴＳ、ｅＮＢ」では、ステップＳ８０２で受けた接続要求を中継して交換機に転送する（ステップＳ８０３）。
ステップＳ８０３での接続要求を受けた交換機は、接続要求に付帯する識別情報（この場合は、能動的接続要求であることを表す識別情報）に基づいて能動呼の接続か非能動呼の接続かを判断（この場合は、能動呼の接続と判断）し、その結果を記憶する（ステップＳ８０４）。
【００６７】
ステップＳ８０４に次いで、交換機から「ＲＮＣ／ＢＴＳ、ｅＮＢ」に回線設定要求が発される（ステップＳ８０５）。
「ＲＮＣ／ＢＴＳ、ｅＮＢ」ではステップＳ８０５での回線設定要求に応じて、先にステップＳ８０４で交換機が記憶した能動呼の接続である旨の判断に応じたリソース割り当て情報を生成する（ステップＳ８０６）。
図示の例では、ステップＳ８０６で、能動呼に応じた相対的に多い（伝送速度が速い）割り当てとするためのリソース割り当て情報が生成され、このリソース割り当て情報が回線設定要求として移動機に通知される（ステップＳ８０７）。
【００６８】
ステップＳ８０７の回線設定要求に応じて、移動機から回線接続応答が、「ＲＮＣ／ＢＴＳ、ｅＮＢ」に返され（ステップＳ８０８）、「ＲＮＣ／ＢＴＳ、ｅＮＢ」は、これを交換機に転送し（ステップＳ８０９）、上述のようなリソース割り当て情報に基づく相対的に多い（伝送速度が速い）割り当てのリソース割り当てが行なわれる。
このため、図８の例でも、同じ無線区間（サービスエリア）で相対的に多い（伝送速度が速い）割り当てのリソースを必要とする通信に対してそれに見合った十分なリソースが割り当てられ、体感的な待ち時間が少なくストレスを感じ難い快適な通信が行なわれ得る。
【００６９】
（移動機の構成例）
図９は、図５ないし図８の説明に該当する移動通信システムに適用される移動機の構成を表す機能ブロック図である。
移動機９００にＲＦ送受信部９１０が設けられ、ＲＦ送受信部９１０は、そのアンテナ９１１により外部との無線通信を行なう。ＲＦ送受信部９１０は図示しない公知のＡＤ変換機能部およびＤＡ変換機能部を備え、バスＢ１を通して他の各部とデータの授受を行う。
例えば数字キーや十字キー等の操作子、或いは、タッチパネル等による操作部９２０が設けられ、ユーザによる操作を受付けるように構成されている。
【００７０】
既述の無線回線制御装置（これを含む「ＲＮＣ／ＢＴＳ、ｅＮＢ」）に対して発する接続要求が発せられるに際し、この接続要求が操作部９２０に対する操作を契機として形成された能動的接続要求であるか否かを識別する能動的接続要求識別部９３０がバスＢ１に接続されている。
能動的接続要求であることが能動的接続要求識別部９３０で識別されたときには、バスＢ１に接続された識別情報生成部９４０が該能動的接続要求であることを表す識別情報を生成する。
【００７１】
バスＢ１を通して識別情報生成部９４０から上述の識別情報を受けた接続要求生成部９５０が、該識別情報を伴なった接続要求情報を生成する。
接続要求生成部９５０で生成された接続要求情報がバスＢ１を通して送受信部としてのＲＦ送受信部９１０から無線回線制御装置（これを含む「ＲＮＣ／ＢＴＳ、ｅＮＢ」）に送信されるため、当該接続要求はこのような能動的接続要求であることが無線回線制御装置において明確に判定される。
【００７２】
上述のＲＦ送受信部９１０、操作部９２０、能動的接続要求識別部９３０、識別情報生成部９４０、および、接続要求生成部９５０は、バスＢ１を通して、移動機９００の系全体を統括的に管理するシステムコントローラ９６０の管理下で各所定の機能を営むように構成されている。
能動的接続要求識別部９３０では、上述のように、接続要求が操作部９２０に対する操作を契機として形成された能動的接続要求であるか否かを識別するものである。
【００７３】
移動機９００が図７および図８を参照して説明したように機能するときには、操作部９２０における操作を認識し、能動的接続要求である旨を識別する。
他方、移動機９００が図５および図６を参照して説明したように機能するときには、仮に操作部９２０に対する操作があった場合でも、その操作は呼設定の契機に該当しない場合であり、このため呼設定の契機としては認識されない。
【００７４】
この場合には、「ＲＮＣ／ＢＴＳ、ｅＮＢ」から発信されたページングがＲＦ送受信部１１０で受信され、システムコントローラ９６０の管理下でバスＢ１を通して能動的接続要求識別部９３０に供給される。
このページングを受けて、能動的接続要求識別部９３０は、当該接続要求は非能動的接続要求である旨判定する。
尚、バスＢ１には、メモリ９７０が接続され、システムコントローラ９６０の管理下でアクセスされて、移動機９００がインストールされたプログラムに従って所定の仕様を充足する機能を発揮するようになされ、或いはまた、図示しないカメラ部で取得した画像データを蓄積し得るように構成されている。
【００７５】
（本発明の交換機の構成）
図１０は、本発明の交換機の構成を表す機能ブロック図である。この交換機は呼の設定および解放に係る交換機としての枢要な機能部である呼制御部５１０、メモリ５２０、受信信号から認識される呼の設定要求に係る呼が能動呼に該当するか該能動呼に該当しない非能動呼かを判定する能動性解析手段５３０、能動性解析処理の判定結果を該当する無線基地局制御装置または無線基地局に送信する能動性判定結果送信手段５４０がバスＢ２を通してシステムコントローラ５５０と結ばれ、このシステムコントローラ５５０による管理下で各所定の機能を営むように構成されている。
また、上述のバスＢ２に接続された無線基地局制御装置（または無線基地局）インターフェース部５６０を通して外部の無線基地局制御装置（または無線基地局）と結ばれ、同様に、バスＢ２に接続された上位交換機インターフェース部５７０を通して上位交換機と結ばれるように構成されている。
【００７６】
次に、交換機５００の各部について更に詳述する。呼制御部５１０自体はこの種の一般的交換機におけるものと同様である。メモリ５２０は、特に、本発明の交換機５００においてページング発信履歴情報保持手段５２０として機能するようにシステムコントローラ５５０の制御下で動作し、このページング発信履歴情報保持手段（メモリ）５２０に、当該呼に関する自機からのページング発信の履歴を表すページング発信履歴情報が保持される。
【００７７】
能動性解析手段５３０は、例えば無線基地局等の外部ノードからの受信信号を解析し該受信信号から認識される呼の設定要求に関し該呼とページング発信履歴情報保持手段５２０に保持されているページング発信履歴情報との照合に基づいて該呼がユーザの移動機に対する操作を契機として形成された能動的接続要求に基づく呼である能動呼に該当するか或いは該能動呼に該当しない非能動呼かを判定する。
【００７８】
能動性解析手段５３０による能動呼か非能動呼かの判定結果は、能動性判定結果送信手段５４０によって無線基地局制御装置（移動通信システムが既述の３Ｇ方式の場合）または無線基地局（移動通信システムが既述のＬＴＥ方式の場合）に送信される。
この判定結果を受けた無線基地局制御装置または無線基地局（そこに設置された上述の無線回線制御装置）では無線リソースの割り当てを適切に行なうことが可能になり、体感されるパケット通信速度に起因するユーザのストレスを軽減しつつ（増大させることなく）、一定の無線リソースをより多くのユーザに割り当てることが可能になる。
【００７９】
（本発明によるリソース割り当ての例）
図１１は、本発明によるリソース割り当ての状況を例示する図である。図示のように、無線区間における通信のリソースの割り当てを、ユーザの操作を契機として形成された能動的接続要求に基づく呼である能動呼に該当する場合には相対的に多く（伝送速度を速く）しているため、体感されるパケット通信速度に起因するユーザのストレスが軽減される。
また、上述のような能動呼に該当せず非能動呼に該当する場合には、通信のリソースの割り当てを相対的に少なく（伝送速度を遅く）しているため、伝送速度の低下が問題になる他の通信のリソースを圧迫する虞が低減する。
従って、限られたリソースをより多くのユーザに対して通信におけるストレスを感じ難いように割り当てることができる。
【００８０】
以上、図面を参照して説明した本発明は、次のような無線回線制御方法の技術思想としても観念することができる。
図１２は、本発明の無線回線制御方法を表すフローチャートである。
本発明の無線回線制御方法は、受信信号を解析し該受信信号から認識される呼の設定要求に関し該呼がユーザの移動機に対する操作を契機として形成された能動的接続要求に基づく呼である能動呼に該当するか該能動呼に該当しない非能動呼かを判定する能動性解析処理のステップ（ステップＳ１２０１）と、能動性解析処理のステップ（ステップＳ１２０１）により前記能動呼に該当すると判定された呼に相対的に多くのリソースを割り当てる形態で呼に対応するリソース割り当て情報を生成するリソース割り当て情報生成のステップ（ステップＳ１２０２）と、リソース割り当て情報生成のステップ（ステップＳ１２０２）で生成されたリソース割り当て情報を該リソース割り当て情報によるリソースの割り当てを履行するための該当する通知先に通知する通知のステップ（ステップＳ１２０３）と、を含んでいる。
【００８１】
ステップＳ１２０３の通知のステップでは、ステップＳ１２０２のリソース割り当て情報生成のステップにより生成されたリソース割り当て情報を該リソース割り当て情報によるリソースの割り当てを履行するための、該当する通知先に通知する。
ここに、該当する通知先とは、図５ないし図８の無線回線制御動作を表すシーケンス図を参照して各場合について詳述した通りである。
ステップＳ１２０３で通知されたリソース割り当て情報により、無線リソースの割り当てが適切に行なわれることにより、体感されるパケット通信速度に起因するユーザのストレスを軽減しつつ（増大させることなく）、一定の無線リソースをより多くのユーザに割り当てることが可能になる。
【産業上の利用可能性】
【００８２】
移動通信システムにおいて、無線区間の限られたリソースをより多くのユーザに対して通信におけるストレスを感じ難いように割り当てることが可能な技術を実現するために利用することができる。
【図面の簡単な説明】
【００８３】
【図１】本発明の思想を表す概念図である。
【図２】本発明を適用する一つの方式による移動通信システムの構成を表す図である。
【図３】本発明を適用する他の一つの方式による移動通信システムの構成を表す図である。
【図４】図２および図３の移動通信システムに適用される本発明の無線回線制御装置を表す機能ブロック図である。
【図５】本発明を適用した移動通信システムにおける無線回線制御動作を表すシーケンス図である。
【図６】本発明を適用した他の移動通信システムにおける無線回線制御動作を表すシーケンス図である。
【図７】本発明を適用した更に他の移動通信システムにおける無線回線制御動作を表すシーケンス図である。
【図８】本発明を適用した更に他の移動通信システムにおける無線回線制御動作を表すシーケンス図である。
【図９】図５ないし図８の説明に該当する移動通信システムに適用される移動機の構成を表す機能ブロック図である。
【図１０】本発明の交換機の構成を表す機能ブロック図である。
【図１１】本発明によるリソース割り当ての状況を例示する図である。
【図１２】本発明の無線回線制御方法を表すフローチャートである。
【符号の説明】
【００８４】
１０１，１０２，９００…移動機
１３０…インターネット
１３１，１３２…ＩＰサーバ
２１１，２１２…無線基地局
２２０…無線基地局制御装置
２３０…交換機
２４０…無線回線制御装置
３１１，３１２…無線基地局
３３０…交換機
３４１，３４２…無線回線制御装置
４００…無線回線制御装置
４１０…受信信号解析手段
４２０…リソース割り当て情報生成手段
４３０…管理情報保持手段
４４０…通知手段
４５０…記憶手段
５００…交換機
５１０…呼制御部
５２０…ページング発信履歴情報保持手段（メモリ）
５３０…能動性解析手段
５４０…能動性判定結果送信手段
５５０…システムコントローラ
５６０…無線基地局制御装置（または無線基地局）インターフェース部
５７０…上位交換機インターフェース部
９１１…アンテナ
９１０…ＲＦ送受信部
９２０…操作部
９３０…能動的接続要求認識部
９４０…識別情報生成部
９５０…接続要求生成部
９６０…システムコントローラ
９７０…メモリ
【図１】
0005059555.tif 000002
【図２】
0005059555.tif 000003
【図３】
0005059555.tif 000004
【図４】
0005059555.tif 000005
【図５】
0005059555.tif 000006
【図６】
0005059555.tif 000007
【図７】
0005059555.tif 000008
【図８】
0005059555.tif 000009
【図９】
0005059555.tif 000010
【図１０】
0005059555.tif 000011
【図１１】
0005059555.tif 000012
【図１２】
0005059555.tif 000013